(57)【要約】【課題】横編機を用いてブランケットスティッチ風の装飾部を備える編地を編成する編地の編成方法を提供する。【解決手段】複数段のベース編目列１０をウエール方向に連続させて、ベース編地１を完成させるまでの間に、装飾編糸Ｙ８を用いてベース編地１の編幅方向端部よりも外側に起点編目２１を編成する工程αと、起点編目２１から延びる装飾編糸Ｙ８を、ベース編目列１０の編目である折返点編目１１よりも編幅方向の内側の位置で折り返し、その折り返された装飾編糸Ｙ８で折返点編目１１を表裏から挟み込んだ状態とする工程βと、起点編目２１のウエール方向に続けて留め編目２３を編成する工程γと、を複数回繰り返し、ベース編地１の編幅方向縁部を装飾編糸Ｙ８で縁取る。但し、ｎを１以上の自然数としたとき、ｎ＋１回目の起点編目２１は、ｎ回目の起点編目２１のウエール方向に続く位置に編成する。【選択図】図３
2015074836.tif 000002
【特許請求の範囲】
【請求項１】
少なくとも前後一対の針床と、それらの針床の編針に編糸を給糸する複数の給糸口と、を備える横編機を用いて、ベース編地を編成すると共に、前記ベース編地を編成するベース編糸とは異なる装飾編糸を前記ベース編地に編み込む編地の編成方法において、
複数段のベース編目列をウエール方向に連続させて前記ベース編地を完成させるまでの間に、
前記装飾編糸を用いて前記ベース編地の編幅方向端部よりも外側に起点編目を編成する工程αと、
前記工程αよりも後に、前記起点編目から延びる前記装飾編糸を、前記ベース編目列の編目である折返点編目よりも編幅方向の内側の位置で折り返し、その折り返された装飾編糸で前記折返点編目を表裏から挟み込んだ状態とする工程βと、
前記工程βよりも後に、前記起点編目のウエール方向に続けて留め編目を編成する工程γと、
を複数回繰り返し、前記ベース編地の編幅方向縁部を前記装飾編糸で縁取ることを特徴とする編地の編成方法。
但し、ｎを１以上の自然数としたとき、ｎ＋１回目の起点編目は、ｎ回目の起点編目のウエール方向に続く位置に編成する。
【請求項２】
前記工程α〜前記工程γを行なうまでの間、前記装飾編糸を前記ベース編地に掛け渡す領域における前記ベース編目列を編成せず、前記工程γの後に、前記領域における前記ベース編目列の編成を行なうことを特徴とする請求項１に記載の編地の編成方法。
【請求項３】
前記工程αと前記工程βとの間に、前記装飾編糸を前記ベース編地に掛け渡す領域における前記ベース編目列の編成を行なうことを特徴とする請求項１に記載の編地の編成方法。
【請求項４】
前記工程βと前記工程γとの間に、前記装飾編糸を前記ベース編地に掛け渡す領域における前記ベース編目列の編成を行なうことを特徴とする請求項１に記載の編地の編成方法。
【請求項５】
前記工程αと前記工程βとの間に、前記装飾編糸を前記ベース編地に掛け渡す領域における前記ベース編目列の編成を行ない、さらに前記工程βと前記工程γとの間に、前記領域における前記ベース編目列の編成を行なうことを特徴とする請求項１に記載の編地の編成方法。
【発明の詳細な説明】
【技術分野】
【０００１】
本発明は、編地を構成するベース編地にブランケットスティッチ風の装飾を施すことができる編地の編成方法に関する。
【背景技術】
【０００２】
横編機を用いて種々の編組織を有する編地を編成することが行なわれている。例えば、特許文献１には、編地の本体であるベース編地部（ベース編地）に、ベース編地を編成するベース編糸とは異なる編糸（装飾編糸）を編み込む編地の編成方法、およびその編成方法で編成された編地が開示されている。装飾編糸は、ベース編地における表側の面上の２点間に掛け渡され、編地の表面を装飾する。
【０００３】
一方、編地の装飾の一形態として、ブランケットスティッチを挙げることができる。ブランケットスティッチは、図８に示すように、ベース編地１００の縁に縫製糸Ｙ６を縫い付けることで形成される装飾部である。ベース編地１００の縁としては、例えばブランケットの縁や、ニットウェアの袖口、衿ぐり、あるいはニットウェアのフードの縁などを挙げることができる。
【先行技術文献】
【特許文献】
【０００４】
【特許文献１】特開２００８−３０３４８９号公報
【発明の概要】
【発明が解決しようとする課題】
【０００５】
ブランケットスティッチの縫製作業は、ベース編地の編成を行なった後に、編成とは独立して行なわれる。そのため、ブランケットスティッチの形成に非常に手間がかかる。このブランケットスティッチに類する装飾を、横編機を用いた編成によってベース編地に形成することができれば、多様なデザインの編地を生産性良く消費者に提供できる。しかし、横編機を用いてブランケットスティッチ風の装飾部を備える編地を編成する技術は、上述した特許文献１を含めて現在のところ提案されていない。
【０００６】
本発明は上記事情に鑑みてなされたもので、その目的の一つは、横編機を用いてブランケットスティッチ風の装飾部を備える編地を編成する編地の編成方法を提供することにある。
【課題を解決するための手段】
【０００７】
本発明の編地の編成方法は、少なくとも前後一対の針床と、それらの針床の編針に編糸を給糸する複数の給糸口と、を備える横編機を用いて、ベース編地を編成すると共に、ベース編地を編成するベース編糸とは異なる装飾編糸をベース編地に編み込む編地の編成方法である。この本発明の編地の編成方法では、複数段のベース編目列をウエール方向に連続させてベース編地を完成させるまでの間に、下記工程α〜工程γを複数回繰り返し、ベース編地の編幅方向縁部を装飾編糸で縁取ることを特徴とする。
［工程α］…装飾編糸を用いてベース編地の編幅方向端部よりも外側に起点編目を編成する工程。
［工程β］…工程αよりも後に、起点編目から延びる装飾編糸を、ベース編目列の編目である折返点編目よりも編幅方向の内側の位置で折り返し、その折り返された装飾編糸で折返点編目を表裏から挟み込んだ状態とする工程。
［工程γ］…工程βよりも後に、起点編目のウエール方向に続けて留め編目を編成する工程。
但し、ｎを１以上の自然数としたとき、ｎ＋１回目の起点編目は、ｎ回目の起点編目のウエール方向に続く位置に編成する。例えば、後述する実施形態１では、ｎ回目の起点編目のウエール方向に続く留め編目にタックを行なってｎ＋１回目の起点編目を編成することで、ｎ＋１回目の起点編目がｎ回目の起点編目のウエール方向に続く位置に編成されている。また、後述する実施形態２〜４では、ｎ回目の起点編目のウエール方向に続くｎ回目の留め編目がｎ＋１回目の起点編目を兼ねることで、ｎ＋１回目の起点編目がｎ回目の起点編目のウエール方向に続く位置に編成されている。
【０００８】
なお、工程α〜工程γを繰り返す際、後述する実施形態２〜４に示すように、ｎ回目の工程γがｎ＋１回目の工程αを兼ねていても良い場合がある。つまり、本発明の請求項１における『工程α〜工程γを複数回繰り返す』との文言には、「工程α→工程β→工程γ→工程α→工程β→工程γ…」というように『工程α〜工程γを一単位として繰り返す』ことも、「工程α→工程β→工程α（＝工程γ）→工程β→工程α（工程γ）…」というように『工程αと工程βを一単位として繰り返す』ことも含まれる。
【０００９】
本発明の編地の編成方法として、工程α〜工程γを行なうまでの間、装飾編糸をベース編地に掛け渡す領域におけるベース編目列を編成せず、工程γの後に、上記領域におけるベース編目列の編成を行なう形態を挙げることができる。
【００１０】
本発明の編地の編成方法として、工程αと工程βとの間に、装飾編糸をベース編地に掛け渡す領域におけるベース編目列の編成を行なう形態を挙げることができる。
【００１１】
本発明の編地の編成方法として、工程βと工程γとの間に、装飾編糸をベース編地に掛け渡す領域におけるベース編目列の編成を行なう形態を挙げることができる。
【００１２】
本発明の編地の編成方法として、工程αと工程βとの間に、装飾編糸をベース編地に掛け渡す領域におけるベース編目列の編成を行ない、さらに工程βと工程γとの間に、上記領域におけるベース編目列の編成を行なう形態を挙げることができる。
【発明の効果】
【００１３】
本発明の編地の編成方法によれば、ベース編地の編幅方向の外側に、装飾編糸で編成される起点編目と留め編目がウエール方向に連なるウエール列が形成され、このウエール列がベース編地の編幅方向縁部を縁取る。また、本発明の編地の編成方法によれば、起点編目から折返点編目の位置まで延びる装飾編糸、および折返点編目の位置から留め編目に延びる装飾編糸が、ベース編地の表面に表れる（前者を往路渡り糸、後者を復路渡り糸と呼ぶ）。これらウエール列と往路渡り糸と復路渡り糸とで、ベース編地の編幅方向縁部にブランケットスティッチ風の装飾部を形成することができる。
【００１４】
工程γの後にベース編目列を編成することで、往路渡り糸と復路渡り糸の両方が、ベース編地の編幅方向に沿った方向に延びるブランケットスティッチ風の装飾部をベース編地に形成することができる。例えば、ベース編地の編幅方向を水平に配置したとき、両渡り糸は共に水平に延びる。
【００１５】
工程αと工程βとの間にベース編目列を編成することで、往路渡り糸が、ベース編地の編幅方向及びウエール方向の両方に交差する方向に延び、復路渡り糸が、ベース編地の編幅方向に沿った方向に延びるブランケットスティッチ風の装飾部をベース編地に形成することができる。例えば、ベース編地の編幅方向を水平に配置したとき、往路渡り糸は斜め上方に延び、復路渡り糸は水平に延びる。
【００１６】
工程βと工程γとの間にベース編目列を編成することで、往路渡り糸が、ベース編地の編幅方向に沿った方向に延び、復路渡り糸が、ベース編地の編幅方向及びウエール方向の両方に交差する方向に延びるブランケットスティッチ風の装飾部をベース編地に形成することができる。例えば、ベース編地の編幅方向を水平に配置したとき、往路渡り糸は水平に延び、復路渡り糸は斜め上方に延びる。
【００１７】
工程αと工程βとの間、および工程βと工程γとの間にベース編目列を編成することで、往路渡り糸と復路渡り糸の両方が、ベース編地の編幅方向及びウエール方向の両方に交差する方向に延びるブランケットスティッチ風の装飾部をベース編地に形成することができる。例えば、ベース編地の編幅方向を水平に配置したとき、両渡り糸は共に斜め上方に延びる。
【図面の簡単な説明】
【００１８】
【図１】実施形態１に示すブランケットスティッチ風の装飾部が形成された編地の写真を示す図である。
【図２】図１に示す編地の装飾部における編目の状態を示す編地の部分ループ図である。
【図３】実施形態１に示す編地の編成工程図である。
【図４】（Ａ）は、実施形態１の編地における往路渡り糸と復路渡り糸の配置状態を示す模式図、（Ｂ）〜（Ｆ）は、変形例に示す編地における往路渡り糸と復路渡り糸の配置状態を示す模式図である。
【図５】実施形態２に示す編地の装飾部における編目の状態を示す編地の部分ループ図である。
【図６】実施形態３に示す編地の装飾部における編目の状態を示す編地の部分ループ図である。
【図７】（Ａ）〜（Ｅ）は、実施形態１〜４の編地の編成方法を応用して形成された装飾部の一例を示す模式図である。
【図８】縫製によって形成されたブランケットスティッチを備える編地の概略図である。
【発明を実施するための形態】
【００１９】
以下、本発明の編地の編成方法の実施形態を図面に基づいて説明する。
【００２０】
＜実施形態１＞
実施形態１では、図１の写真に示すブランケットスティッチ風の装飾を施した編地の編成方法を説明する。図１の編地には、編地の本体となるベース編地の編幅方向縁部を、ベース編地を構成するベース編糸とは異なる装飾編糸で縁取ることで形成されたブランケットスティッチ風の装飾部が備わっている。
【００２１】
上記ベース編地１に形成される装飾部２は、図２の部分ループ図に示すように、ウエール列２Ｗと往路渡り糸２Ａと復路渡り糸２Ｂとで構成されている（図２ではベース編地１の編目は省略）。ウエール列２Ｗは、ベース編地１の編幅方向（紙面左右方向）の縁部の外側で、複数の編目（後述する起点編目２１と留め編目２３）がウエール方向に連なることで形成されている。一方、往路渡り糸２Ａは、ウエール列２Ｗを構成する起点編目２１からベース編地１の折返点編目（図示せず）の位置に延びる装飾編糸で形成され、ベース編地１の表側に配置されている。また、復路渡り糸２Ｂは、折返点編目の位置から留め編目２３に延びる装飾編糸で形成され、点線で示すようにベース編地１の裏側に配置されている。
【００２２】
図３は、図１，２に示す編地の編成工程図である。図３の左欄の『Ｓ＋数字』は編成工程の番号を示し、右欄には前針床（以下ＦＢ）と後針床（以下ＢＢ）における編目の形成状態が示されている。各編成工程で実際に編成を行なった部分は太線で示す。
【００２３】
Ｓ１では、給糸口７を紙面左方向に移動させ、給糸口７から給糸されるベース編糸Ｙ７を用いて、ＦＢの編針ｈ，ｇ，ｆ，ｅ，ｄ，ｃ，ｂにベース編地１を構成するベース編目列１０を編成すると共に、ＦＢの編針ａに装飾部２を編成する始端部となる編目１ｓを編成した。編目１ｓはベース編目列１０に繋がっており、編目１ｓのウエール方向に連続して編成される装飾部２の始端部分がベース編地１から離隔することを抑制する（図２を合わせて参照）。
【００２４】
Ｓ２ではまず、装飾編糸Ｙ８をベース編地１に掛け渡す領域Ｒ１の編目であるＦＢの編針ｂ〜ｅの編目、および領域Ｒ１よりも編幅方向内方側の編目であるＦＢの編針ｆの編目を、ＢＢの編針ｂ〜ｆに目移しした。領域Ｒ１における編幅方向内方側の端部編目（編針ｅに係止される編目）は、装飾編糸Ｙ８を掛け渡す折返点編目１１である。
【００２５】
Ｓ２ではさらに、上記目移しの後に給糸口８を右方向に移動させ、ＦＢの編針ａにタック（ニットでも可）を行なって装飾部２の起点となる起点編目２１を編成した（本発明の工程αに相当）。加えて、Ｓ２では、起点編目２１の編成後に、折返点編目１１よりも編幅方向内方側にあるＦＢの編針ｆに掛け目（仮係止編目２２）を編成した。給糸口８から給糸される装飾編糸Ｙ８は、ベース編糸Ｙ７とは種類の異なる編糸、代表的には異色の編糸である。
【００２６】
なお、仮係止編目２２の編成は、往路渡り糸２Ａと復路渡り糸２Ｂの糸長を所定の長さに調節し易くするために行なうもので、必須ではない。仮係止編目２２を編成しないのであれば、ＦＢの編針ｆの目移しも必要ないし、後述するＳ５，Ｓ６も必要ない。
【００２７】
Ｓ３では、Ｓ２においてＢＢの編針ｂ〜ｅに預けておいた編目を、ＦＢの編針ｂ〜ｅに目移しする。Ｓ２，Ｓ３によって、装飾編糸Ｙ８がベース編地１の表側を横切った状態となる。
【００２８】
Ｓ４では、給糸口８を左側に移動させ、ＦＢの編針ｅに係止される折返点編目１１よりも更に内側の位置で装飾編糸Ｙ８が折り返され、起点編目２１から延びる装飾編糸Ｙ８に折返点編目１１が表裏から挟み込まれた状態とした（本発明の工程βに相当）。Ｓ４ではさらに、ＦＢの編針ａに係止される起点編目２１のウエール方向に続けて留め編目２３を編成した（本発明の工程γに相当）。留め編目２３を編成することで、起点編目２１が針床から外れ、起点編目２１が固定される。
【００２９】
Ｓ５では、Ｓ３において形成した仮係止編目２２をＦＢの編針ｆから外し、Ｓ６では、ＢＢの編針ｆに係止される編目を、ＦＢの編針ｆに目移しした。
【００３０】
Ｓ７では、ベース編地１となる複数段のベース編目列１０を編成した。ベース編目列１０の段数が増加するに従い、給糸口８からＦＢの編針ａに係止される留め編目２３に装飾編糸Ｙ８が繰り出される。その結果、留め編目２３の大きさが、ベース編目列１０の段数に応じた大きさに調整される（図２を合わせて参照）。
【００３１】
以降は、Ｓ１〜Ｓ７に示す編成を繰り返した。その繰り返しの際、ｎ＋１回目の起点編目２１は、ｎ回目の起点編目２１のウエール方向に続く位置に編成した。即ち、本実施形態においては、ｎ回目の起点編目２１のウエール方向に続く留め編目２３にタックを行なうことで、ｎ＋１回目の起点編目２１を編成した。
【００３２】
以上説明した編成工程に従えば、図２の部分ループ図に示すように、起点編目２１と留め編目２３がウエール方向に連なるウエール列２Ｗと、ウエール列２Ｗからベース編地１の編幅方向に延びる往路渡り糸２Ａおよび復路渡り糸２Ｂと、を備える装飾部２をベース編地１の縁に形成することができる。
【００３３】
なお、Ｓ７で複数段のベース編目列１０を編成する際、留め編目２３のウエール方向に続く挿入編目を編成しても良い。挿入編目を設けることで、ウエール列２Ｗにおける編目の大きさを調節することができる。この挿入編目は、装飾編糸Ｙ８を用いて編成しても良いし、ベース編糸Ｙ７を用いて編成しても良い。ｎ回目の留め編目２３に挿入編目を編成する場合、ｎ＋１回目の起点編目２１は、挿入編目のウエール方向に続けて編成する。そうすることで、ｎ回目の起点編目２１のウエール方向に続く位置にｎ＋１回目の起点編目２１が編成される。
【００３４】
≪変形例≫
実施形態１では、往路渡り糸２Ａをベース編地１の表側に、復路渡り糸２Ｂをベース編地１の裏側に配置した。これに対して、ベース編目列１０を目移しするタイミングや、目移しするベース編目列１０の編目の数を調節することで、両渡り糸２Ａ，２Ｂの配置状態が実施形態１とは異なる編地を編成することができる。
【００３５】
図４（Ａ）〜（Ｆ）は、針床上における往路渡り糸２Ａと復路渡り糸２Ｂの配置状態を示す模式図である。これらの模式図のうち、図４（Ａ）に示す模式図は、実施形態１の編地における渡り糸２Ａ，２Ｂの配置状態を示す模式図である。
【００３６】
図４（Ｂ）では、往路渡り糸２Ａがベース編地１の裏側（紙面上側）に、復路渡り糸２Ｂがベース編地１の表側（紙面下側）に配置されている。このような配置状態とするには、図３の編成工程図のＳ２において、ベース編目列１０の目移しを行なわずに、給糸口８を右方向に移動させ、起点編目２１を編成する。給糸口８は、編針ｅの折返点編目１１よりも右側（編幅方向内方側）に停止しておく。次いで、Ｓ３の代わりに、ＦＢの編針ｂ〜ｅに係止される領域Ｒ１のベース編目列１０の編目を、ＢＢの編針ｂ〜ｅに目移しした後、給糸口８を左側に移動させ、留め編目２３を編成する。そして、Ｓ４の代わりに、ＢＢの編針ｂ〜ｅに預けておいたベース編目列１０の編目を、ＦＢの編針ｂ〜ｅに目移しで戻す。この場合、Ｓ５，Ｓ６は行なう必要がない。
【００３７】
図４（Ｂ）と同様に、ベース編目列１０の目移しのタイミングと、目移しする編目と、を適宜変更することで、図４（Ｃ），（Ｄ）に示すように、編針ｄと編針ｅとの間で、往路渡り糸２Ａと復路渡り糸２Ｂとが８の字状に交差した状態とすることもできる。もちろん、両渡り糸２Ａ，２Ｂの交差位置は、編針ｃと編針ｄの間や、編針ｂと編針ｃとの間でも良く、特に限定されない。
【００３８】
また、図４（Ｅ）に示すように、両渡り糸２Ａ，２Ｂが共にベース編地１の表側に配置された状態、あるいは図４（Ｆ）に示すように、両渡り糸２Ａ，２Ｂが共にベース編地１の裏側に配置された状態とすることもできる。もちろん、復路渡り糸２Ｂが往路渡り糸２Ａ側に抜ける位置は、編針ｄと編針ｅの位置に限定されない。
【００３９】
＜実施形態２＞
実施形態２では、実施形態１とは異なるブランケットスティッチ風の装飾部２をベース編地１に形成する例を、図５の部分ループ図に基づいて説明する。図５に示すように、本実施形態における装飾部２の往路渡り糸２Ａは、ベース編地１の編幅方向及びウエール方向の両方に交差する方向（紙面右斜め上方向）に延びており、復路渡り糸２Ｂは、ベース編地１の編幅方向に沿った方向（紙面水平方向）に延びている。
【００４０】
図５に示す装飾部２を形成するには、図３のＳ１に続いて、給糸口８の装飾編糸Ｙ８を用いてＦＢの編針ａに起点編目２１を編成し、給糸口８を起点編目２１よりも左側（ベース編目列１０よりも外側）に停止させる（本発明の工程αに相当）。次いで、少なくとも装飾編糸Ｙ８をベース編地１に掛け渡す領域Ｒ１にあるＦＢの編針ｂ〜ｅにおいて複数段のベース編目列１０の編成を行なう。所定数のベース編目列１０を編成したら、領域Ｒ１のＦＢの編針ｂ〜ｅの編目をＢＢの編針ｂ〜ｅに目移しした後、給糸口８を編針ｅよりも右側に停止させる。そして、ＢＢの編針ｂ〜ｅの編目をＦＢの編針ｂ〜ｅに目移しした後、給糸口８を左側に移動させ、装飾編糸Ｙ８を折返点編目１１に掛けて折り返し（本発明の工程βに相当）、さらに起点編目２１のウエール方向に続けて留め編目２３の編成を行なう（本発明の工程γに相当）。
【００４１】
以上説明した編成工程を繰り返し行なうことで、図５に示す装飾部２をベース編地１の編幅方向縁部に形成することができる。この編成工程を行なった場合、ｎ回目の留め編目２３が、ｎ＋１回目の起点編目２１を兼ねている（ｎは１以上の自然数）。つまり、本実施形態では「工程α→工程β→工程α（＝工程γ）→工程β→工程α（工程γ）…」というように工程αと工程βを繰り返している。もちろん、ｎ回目の留め編目２３のウエール方向に続けてｎ＋１回目の起点編目２１を編成しても良いし、ｎ回目の留め編目２３のウエール方向に続く一つ以上の挿入編目を編成した後、その挿入編目のウエール方向に続けてｎ＋１回目の起点編目２１を編成しても良い。挿入編目の編成には、装飾編糸Ｙ８を用いても良いし、ベース編糸Ｙ７を用いても良い。ｎ回目の留め編目２３がｎ＋１回目の起点編目２１を兼ねている点、留め編目２３に挿入編目を設けても良い点は、後述する実施形態３，４においても同様である。
【００４２】
ここで、図５では、往路渡り糸２Ａがベース編地１の表側、復路渡り糸２Ｂがベース編地１の裏側に配置されているが、往路渡り糸２Ａをベース編地１の裏側、復路渡り糸２Ｂをベース編地１の表側に配置することもできる。この点は、後述する実施形態３，４においても同様である。
【００４３】
＜実施形態３＞
実施形態３では、実施形態１，２とは異なるブランケットスティッチ風の装飾部２をベース編地１に形成する例を、図６の部分ループ図に基づいて説明する。図６に示すように、本実施形態の往路渡り糸２Ａは、ベース編地１の編幅方向に沿った方向（紙面水平方向）に延びており、復路渡り糸２Ｂは、ベース編地１の編幅方向及びウエール方向の両方に交差する方向（紙面左斜め上方向）に延びている。
【００４４】
図６に示す装飾部２を形成するには、図３のＳ１に続いて、装飾編糸Ｙ８をベース編地１に掛け渡す領域Ｒ１にあるＦＢの編針ｂ〜ｅの編目をＢＢの編針ｂ〜ｅに目移しする。次に、ＦＢの編針ａに起点編目２１を編成し、給糸口８を編針ｅよりも右側に停止させる（本発明の工程αに相当）。次いで、ＢＢの編針ｂ〜ｅの編目をＦＢの編針ｂ〜ｅに目移しした後、給糸口８を左側に移動させ、装飾編糸Ｙ８を折返点編目１１に掛けて折り返す（本発明の工程βに相当）。この給糸口８の移動の際には、留め編目２３の編成は行なわない。そして、少なくとも領域Ｒ１で複数段のベース編目列１０を編成した後、起点編目２１のウエール方向に続けて留め編目２３の編成を行なう（本発明の工程γに相当）。
【００４５】
以上説明した編成工程を繰り返し行なうことで、図６に示す装飾部２をベース編地１の編幅方向縁部に形成することができる。
【００４６】
＜実施形態４＞
実施形態４では、往路渡り糸と復路渡り糸が共に、ベース編地の編幅方向及びウエール方向の両方に交差する方向に延びるブランケットスティッチ風の装飾部をベース編地に形成する例を説明する。
【００４７】
実施形態４の装飾部を形成するには、上述した実施形態２と実施形態３とを組み合わせた編成を行なえば良い。具体的には、工程αを行なった後、ベース編目列を複数段編成し、工程βを行なった後、再びベース編目列を複数段編成する。その結果、往路渡り糸および復路渡り糸が共に、斜め上方に延びた装飾部を形成することができる。
【００４８】
＜実施形態５＞
実施形態１〜４に示す編地の編成方法を応用することで、多種多様な装飾部を編成することができる。そのような装飾部の一例を、図７（Ａ）〜（Ｅ）に例示する。
【００４９】
図７（Ａ）は、実施形態１の編地の編成方法において、工程γの後に行なうベース編目列の編成数を適宜変化させることで得られた装飾部を備える編地である。また、図７（Ｂ）は、実施形態１の編地の編成方法において、渡り糸の長さを適宜変化させることで得られた装飾部を備える編地である。
【００５０】
図７（Ｃ）〜（Ｅ）は、装飾編糸Ｙ８に加えて、給糸口９から給糸される装飾編糸Ｙ９を用いて編成された装飾部を備える編地である（図中の装飾編糸Ｙ９は太点線で示す）。図７（Ｃ）の装飾部は、両装飾編糸Ｙ８，Ｙ９の渡り糸を互い違いに配置することで形成されている。また、右斜め上に延びる装飾編糸Ｙ９の渡り糸と、左斜め上に延びる装飾編糸Ｙ８渡り糸と、を適宜組み合わせることで、図７（Ｄ）のＸ字状の装飾部や、図７（Ｅ）の鋸波状の装飾部を形成することもできる。特に、両渡り糸を斜めに延ばす実施形態４の編成によって図７（Ｄ），（Ｅ）の装飾部の形成を行なうと、装飾部の表裏の見た目を同じにすることができる。
【００５１】
その他、装飾編糸Ｙ８を用いて装飾部を形成する際、途中までは実施形態１の手順で装飾を形成し、途中からは別の実施形態の手順で装飾部を形成することも可能である。その組合せは自由であり、特に限定されない。
【００５２】
＜実施形態６＞
実施形態１〜５では、単層のベース編地の縁に装飾部を形成した。これに対して、ＦＢとＢＢの両方にベース編地を形成し、各ベース編地の縁に対して装飾部を形成しても良い。その際、編目の目移しや給糸口の前後関係を利用して、各装飾部を構成する編糸を絡めることで、ＦＢのベース編地とＢＢのベース編地とを閉じ合わせることもできる。その他、ＦＢのベース編地とＢＢのベース編地とを一つの装飾部で閉じ合わせることもできる。
【００５３】
上記実施形態１〜６で説明した装飾部は、フードの縁、袖口、衿ぐりなど、あらゆる箇所に適用することができ、編地のデザイン性を向上させることに寄与する。
【符号の説明】
【００５４】
ＦＢ  前針床  ＢＢ  後針床
１  ベース編地    １０  ベース編目列  １１  折返点編目  Ｒ１  領域
１ｓ  装飾部を編成する始端部となる編目
２  装飾部    ２Ｗ  ウエール列  ２Ａ  往路渡り糸  ２Ｂ  復路渡り糸
２１  起点編目  ２２  仮係止編目  ２３  留め編目
７，８，９  給糸口
Ｙ７  ベース編糸  Ｙ８，Ｙ９  装飾編糸
１００  ベース編地  Ｙ６  縫製糸
【図２】
2015074836.tif 000003
【図３】
2015074836.tif 000004
【図４】
2015074836.tif 000005
【図５】
2015074836.tif 000006
【図６】
2015074836.tif 000007
【図７】
2015074836.tif 000008
【図８】
2015074836.tif 000009
【図１】
2015074836.tif 000010